(57)【要約】【課題】  部品点数の削減と共に、レンズの破損や排気漏れ等を無くし、組み立ての作業性も改善できる電気掃除機を提供する。【解決手段】  集塵室１４内の塵埃の廃棄やフィルタの清掃を促す表示を行う表示手段を備えた電気掃除機において、表示手段を構成する発光体（ＬＥＤ２１）とその基板２２を発光体２１の表示部２４が形成される本体ケース（上ケース３）内の他部品１７，１８に固定すると共に、表示部２４として本体ケース２に発光体２１からの光を透過する薄肉部を形成した。【選択図】        図２
2007054380.tif 000002
【特許請求の範囲】
【請求項１】
集塵室内の塵埃の廃棄やフィルタの清掃を促す表示を行う表示手段を備えた電気掃除機において、
前記表示手段を構成する発光体とその基板を発光体の表示部が形成される本体ケース内に配置すると共に、前記表示部として前記本体ケースに前記発光体からの光を透過する薄肉部を形成したことを特徴とする電気掃除機。
【請求項２】
前記集塵室を構成する集塵ケースと、当該集塵室と電動送風機室間の連通部に装着されるカバーの２部品で前記基板を固定する構成としたことを特徴とする請求項１記載の電気掃除機。
【請求項３】
前記発光体の基板を固定した後に発光体に装着されて発光体を保持するホルダを備えたことを特徴とする請求項２記載の電気掃除機。
【請求項４】
前記表示部が形成された本体ケースを覆う半透明のケースカバーを備えたことを特徴とする請求項１ないし請求項３のいずれかに記載の電気掃除機。
【発明の詳細な説明】
【技術分野】
【０００１】
本願発明は、集塵室内の塵埃の廃棄やフィルタの清掃を促す表示を行う表示手段を備えた電機掃除機に関するものである。
【背景技術】
【０００２】
従来より、この種の表示手段を備えた電機掃除機が良く知られており（例えば、特許文献１参照）、一般に、上記表示手段は本体ケース（上ケース）に開口部を形成して取り付けられ、開口部にはレンズが装着されるように構成されている。
【０００３】
特許文献１に示されたものは、本体ケースにレンズが装着される開口部を形成して表示部を形成し、その内側に配置されるＬＥＤとその基板は本体ケースに取り付けられた枠体で保持するように構成されている。
【特許文献１】特開平６−３４３５８７号公報
【発明の開示】
【発明が解決しようとする課題】
【０００４】
しかしながら、上記従来構成では、ＬＥＤ基板を取り付けるための専用の枠体部品やレンズを必要とするので部品点数が多くなる課題があった。
【０００５】
また、電気掃除機は移動しながら使用されると共に内部には電動送風機が内蔵されているので、本体ケース上に露出するレンズが移動中に何かに当たって破損したり、開口部とレンズの隙間から排気漏れ等が生じたりする課題もあった。
【０００６】
さらに、本体ケースの裏面側に枠体等を用いてＬＥＤ基板を組み立てるため、作業性が非常に悪かった。
【０００７】
そこで、本願発明はこのような課題を解決するためになされたものであり、部品点数の削減と共に、レンズの破損や排気漏れ等を無くし、組み立ての作業性も改善できる電気掃除機を提供することを目的とするものである。
【課題を解決するための手段】
【０００８】
上記のような目的を達成するために、本願発明は、集塵室内の塵埃の廃棄やフィルタの清掃を促す表示を行う表示手段を備えた電気掃除機において、前記表示手段を構成する発光体とその基板を発光体の表示部が形成される本体ケース内に配置すると共に、前記表示部として前記本体ケースに前記発光体からの光を透過する薄肉部を形成したことを特徴とするものである。
【０００９】
さらに、前記集塵室を構成する集塵ケースと、当該集塵室と電動送風機室間の連通部に装着されるカバーの２部品で前記基板を固定する構成としたことを特徴とするものである。
【００１０】
また、前記発光体の基板を固定した後に発光体に装着されて発光体を保持するホルダを備えたことを特徴とするものである。
【００１１】
また、前記表示部が形成された本体ケースを覆う半透明のケースカバーを備えたことを特徴とするものである。
【発明の効果】
【００１２】
本願発明によれば、発光体とその基板を発光体の表示部が形成される本体ケース内に配置すると共に、表示部として本体ケースに発光体からの光を透過する薄肉部を形成したので、基板を取り付けるための専用の枠体部品やレンズが不要となって、部品点数の削減と共に、レンズの破損や排気漏れ等を無くし、組み立ての作業性も改善できる。
【００１３】
さらに、発光体の基板を、集塵室を構成する集塵ケースと、当該集塵室と電動送風機室間の連通部に装着されるカバーの２部品で固定する構成としたことにより、１部品で固定する場合に比べて、該当部品の金型構造の簡易化が実現できる。
【００１４】
また、前記発光体の基板を固定した後に発光体に装着されて発光体を保持するホルダを備えたことにより、本体ケースを取り付ける際にケース内側のリブ等が発光体に当たって発光体が傾いたりするのを防止することができる。
【００１５】
また、表示部が形成された本体ケースを覆う半透明のケースカバーを備えたことにより、外観上の差別化を図ることができる。
【発明を実施するための最良の形態】
【００１６】
以下、本願発明の実施形態を図面を参照して詳細に説明する。
【００１７】
図１は、本願発明の一実施形態の電気掃除機における掃除機本体の外観を示す斜視図、図２はその中央縦断面図、図３は電気掃除機全体の側面図である。
【００１８】
このキャニスター型の掃除機本体１の外郭は、下ケース２及び上ケース３と、上ケース３の前側上面に開口する後述の集塵室の上面開口を開閉自在に密閉する集塵蓋４と、延長管５や床用吸込具６が連結されたホース７が差し込まれる差込口８を有する前カバー９から形成されている。
【００１９】
掃除機本体１の底面前側中央部にはキャスター式の小径の前輪１０が備えられ、両側面後側には大径の後輪１１が備えられている。また、掃除機本体１の上面側における集塵蓋４の後側には、掃除機本体持ち運び用のハンドル１２が回動自在に備えられている。
【００２０】
掃除機本体１内には、前部に集塵用の紙パック（図示せず）及びサイクロン方式のダストボックス１３のいずれでも装着可能な両用の集塵室１４が形成され、後部には電動送風機１５が収納された電動送風機室１６が形成されている。
【００２１】
集塵室１４は、下ケース２上の前部にネジ止め固定される図４（ａ）図示の集塵ケース１７によって形成され、当該集塵ケース１７の最前部には吸引口１７ａが形成されている。また、集塵室１４と電動送風機室１６を連通する開口部には図４（ｂ）図示のエアインレットカバー１８が取り付けられており、その格子部１８ａに微塵フィルタがフィルタ枠体に保持されたフィルタフィクスチャ１９が着脱自在に装着される。
【００２２】
上記集塵ケース１７とエアインレットカバー１８は、掃除機本体１内に取り付けれると、図５に示すように連結され、その後側上部には、集塵ケース１７側のリブ１７ｂとエアインレットカバー１８側のリブ１８ｂで構成されたＬＥＤ基板取付部２０が形成されるようになっている。
【００２３】
このＬＥＤ基板取付部２０には、図２及びその要部拡大断面図である図６に示すように、発光体であるＬＥＤ（発光ダイオード）２１が搭載されたＬＥＤ基板２２が取り付けられて固定されるようになっている。また、取り付けられた基板２２に搭載されたＬＥＤ２１は、図７に示すように漏斗状の孔２３ａが形成されたＬＥＤフォルダ２３が装着され、漏斗状孔２３ａでＬＥＤ２１を囲繞してＬＥＤ２１の傾きを防止するように構成されている。
【００２４】
そして、上記ＬＥＤ位置に対応して、樹脂製の上ケース３に表示部２４としてＬＥＤ２１からの光を透過する薄肉部が形成されている。また、表示部２４が形成された上ケース３を覆う半透明のケースカバー２５が備えられている。この半透明のケースカバー２５は、例えば赤色ＬＥＤに対してその補色である緑色に着色するとＬＥＤの赤色発光が見えなくなるので、ＬＥＤ２１の発光色と補色関係にない色で着色するように構成することが肝要である。なお、図１では、上記薄肉部で形成された表示部２４が分かるように斜線を付して示している。
【００２５】
以上のように、本実施形態では、ＬＥＤ基板２２を表示部２４が形成される上ケース３内の他部品１７，１８に固定すると共に、表示部２４として上ケース３にＬＥＤ２１からの光を透過する薄肉部を形成したので、ＬＥＤ基板２２を取り付けるための専用の枠体部品やレンズが不要となって、部品点数の削減と共に、レンズの破損や排気漏れ等を無くし、組み立ての作業性も改善できる。
【００２６】
さらに、ＬＥＤ基板２２を、集塵室１４を構成する集塵ケース１７と、当該集塵室１４と電動送風機室１６間の連通部に装着されるエアインレットカバー１８の２部品で固定する構成としたことにより、集塵ケース１７又はエアインレットカバー１８のいずれか１部品で固定する場合にはＬＥＤ基板取付部が複雑な形状となるので、それに比べて、該当部品１７，１８の金型構造の簡易化が実現できる。
【００２７】
また、ＬＥＤ基板２２を固定した後にＬＥＤ２１に装着されてＬＥＤ２１を保持するＬＥＤホルダ２３を備えたことにより、上ケース３を取り付ける際に上ケース３内側のリブ等がＬＥＤ２１に当たってＬＥＤ２１が傾いたりするのを防止することができる。
【００２８】
また、表示部２４が形成された上ケース３を覆う半透明のケースカバー２５を備えたことにより、外観上の差別化を図ることができる。
【００２９】
一方、本実施形態では、図８〜図１１に示すように、前カバー９のホース差込口８に配置された端子部２６ａ，２６ｂからのリード線２７ａ，２７ｂを図示しない本体後部メイン基板まで配線する配線処理の一部を、前カバー９の外側を通して配線処理し、図１２，図１３に示すように上ケース３により目隠しするようにしている。
【００３０】
これまで、掃除機本体１の小型化やスリム化によって、配線処理スペースが狭く、また、金型強度的にも難しい構成になっていた。すなわち、これまでは、狭い溝に配線処理をしており、特別なヘラ状の工具を使用して配線処理を行っており、作業性が悪かった。
【００３１】
そこで、本実施形態では、図８に示すように前カバー９のホース差込口８の横方向に配置された端子部２６ａ，２６ｂのうち、下側の端子部２６ｂからのリード線２７ｂだけをホース差込口８の内側下部の溝に通して配線処理し、上側の端子部２６ａからのリード線２７ａは前カバー９の外側上部を通して配線処理するようにしている。また、集塵ケース１７の外壁には、図９，図１０に示すように、前述したようにして前カバー９の外側と内側を通したリード線２７ａ，２７ｂが引き出される高さと略同等の高さに配線処理リブ１７ｃを形成している。
【００３２】
以上のように、前カバー９におけるリード線処理の一部を前カバー９の外側を通して行うことで、十分な配線処理スペースと、金型強度の確保が可能となる。これにより、作業効率のアップを図ることができる。また、従来配線処理をするために金型強度を考慮して確保していたスペースを無くすことができ、更なる小型化が可能となる。また、前カバー９の外側と内側を通したリード線２７ａ，２７ｂが引き出される高さと略同等の高さに配線処理リブ１７ｃを設けることにより、配線処理の作業性がアップする。
【００３３】
また、本実施形態では、延長管５を介して床用吸込具６が接続されたホース７が連結された掃除機本体１を立てた状態のまま収納するスタンド収納のためのパイプリテイナー３０の変形防止機構を有している。
【００３４】
すなわち、従来のパイプリテイナーはフック部が止め輪部のみで支持されているため強度が不十分であり、材質がＰＰ（ポリプロピレン）であるため、高温（４０℃）の雰囲気でスタンド収納していると、変形が生じてしまう。この問題は、近年のパイプ径およびホース径の拡大による重量アップで深刻化している。変形が生じると、スタンド収納時にパイプが抜けて転倒してしまう。
【００３５】
そこで、本実施形態では、図１５（ｂ），図１６（ｂ）に示すようにパイプリテイナー３０のフック部３０ａの内側にリブ３０ｃを形成すると共に、図１５（ａ），図１６（ａ），（ｃ），（ｄ）に示すように延長管５のパイプ５ａ側には上記リブ３０ｃが嵌合する溝５ｂを有する略コ字状のリブ５ｃを形成して、図１５（ｃ）に示すようにパイプリテイナー３０の取り付け時にそのリブ３０ｃをパイプ５ａからのリブ５ｃで挟み込みようにして、図１４に示すようにフック部３０ａ自体を強固に支持するようにしている。
【００３６】
このように構成して、パイプリテイナー３０のフック部３０ａの左右方向のガタを規制することにより変形を防止している。また、強度があるので、パイプリテイナー３０の小型化が可能となる。なお、リブの構成は、逆，すなわちパイプのリブをパイプリテイナーのリブで挟み込むようにしても同様の作用効果が得られる。
【００３７】
また、本実施形態では、図１７，図１８に示すように回動軸１２ａを支点に回動するハンドルにおいて、上ケース３天面（コア側）に当てリブ３ａを設け、これにハンドル１２の回動軸１２ａに設けられた抜け止めリブ１２ｂを当てることにより、ハンドルストッパーとしている。
【００３８】
従来、回動軸を支点に回動するハンドルにおいては、上ケースの外側にのみストッパーが設けられていたが、このストッパーの強度不足や、強度確保のため大型化するにはストッパー構成スペースの確保が必要となっていた。
【００３９】
そこで、本実施形態では、図１９に示すような上ケース３外側にストッパー３ｂを設けると共に、上ケース３天面（コア側）に当てリブ３ａを設け、これにハンドル１２の抜け止め用リブ１２ｂを当てることにより、ストッパーの強化を図っている。これは、外側のストッパー３ｂが変形した時に当たるように構成されており、無理な力が掛かったときに働くものであり、外側のストッパー３ｂの大型化の必要が無くなり、外側のストッパー構成スペースの確保が不要となる。また、外側のストッパー３ｂは小さくて良いので、外観が損なわれることもなくなる。
【００４０】
また、本実施形態では、図１に示した集塵蓋４に装飾用として図２０に示すように取り付けられる化粧板３４の抜け防止構成に工夫を施している。
【００４１】
従来は、化粧板の幅狭に形成された先端部の抜け防止でアンダカットを設けるため、図２１（ａ）に示すように化粧板３４の先端部に矩形の孔３４ａを形成し、この孔３４ａを集塵蓋４の端部の凸部４ａに嵌合させる構成にしていた。しかしながら、このような孔構成にすると、四方に壁ができるため、少なくとも四方に壁の肉厚分の空間が必要となり、小型化ができなくなる。
【００４２】
そこで、本実施形態では、図２１（ｂ）〜（ｅ）に示すようにアンダカット部の四方のうち一方の壁を削除し、アンダカット部の形状を抜き防止方向に対して斜めにするなどして、抜け防止を行っている。図２１（ｂ）は（ａ）における矩形のアンダカット部（孔３４ａ）の下方の壁３４ｂを削除したものであり、下方の壁を削除しても側方の壁３４ｃが矢印で示す剥がれる方向に対して抵抗となり、抜け防止できる。また、図２１（ｃ）は略平行四辺形のアンダカット部（孔３４ｄ）の側方の壁を削除したものであり、側方の壁を削除しても下方の壁３４ｅが矢印で示す剥がれる方向に対して抵抗となり、抜け防止できる。また、図２１（ｄ）は上記図２１（ｃ）のものを上下に対称に配置したものであり、双方向に強い抜け防止構造となる。さらに、図２１（ｅ）は略台形形状のアンダカット部（孔３４ｆ）の内側の短辺側の壁を削除したものであり、全方向に対応できる。以上のように構成することにより、小型化が可能となる。
【００４３】
また、上記のような化粧板３４を取り付ける集塵蓋４が透明な樹脂で形成されるものでは、透明樹脂で形成された集塵蓋４の裏面側にリブ等を形成すると表面側から見えてしまって外観が損なわれるので、透明な集塵蓋４の裏面側に不透明なバッキングプレートを設けて、このバッキングプレートにリブ等を形成するようにしている。このような構造における化粧板３４と集塵蓋４を止める爪構成において、本実施形態では、化粧板４の爪の抜け防止をバッキングプレートに形成したリブで行うようにしている。
【００４４】
これまで、上記のような化粧板と集塵蓋を止める爪構成は、図２２（ａ）に示すようにバッキングプレート３５が設けられた集塵蓋４に化粧板３４を組んだ状態で、落下などの衝撃で化粧板３４が外れないように、化粧板３４の爪３４ｇの掛け代を多くとったり、爪３４ｇの撓みを強くしたりしていた。しかし、爪構成を強くするため、爪３４ｇの掛け代を多くとったり、爪３４ｇの撓みを強くすることは、組み立てにくくしてしまう。また、化粧板３４の成形時のヒケ防止のためには、爪３４ｇを薄く形成することが有効であるが、爪３４ｇを薄く形成すると、爪３４ｇが消し飛びやすくなる。
【００４５】
そこで、本実施形態では、図２２（ｂ）に示すように、バッキングプレート３５に化粧板３４の爪３４ｇの抜け防止用リブ３５ａを形成し、先ず化粧板３４と集塵蓋４を先に組み立てる（爪３４ｇの掛け代や撓みは弱いままで、ヒケ防止のため薄く形成してもよい）。次に、バッキングプレート３５を組んだときに、バッキングプレート３５に設けられたリブ３５ａが前述の爪３４ｇの反対側に当接することにより、爪３４ｇは両側から挟まれるようになるので、抜け防止を効果的に行うことができる。
【００４６】
以上のように構成することにより、組み立てやすく、かつ外れにくくなると共に、爪３４ｇの消し飛びも防ぐことができる効果が得られる。
【００４７】
また、化粧板３４とバッキングプレート３５をネジ止めし、集塵蓋４は化粧板３４とバッキングプレート３５で挟み込んで固定する構成とすることが好ましい。
【００４８】
これまでは、図２３（ａ），（ｂ）に示すように、化粧板３４と集塵蓋４を爪３４ｇによって止め、集塵蓋４とバッキングプレート３５を爪３５ｂあるいはネジ３５ｃによって止めるなど、隣接する部品同士によって止める構成にしていた。
【００４９】
しかし、隣接する部品同士で止める構成にすると、爪３４ｇ，３５ｂあるいはネジ３５ｃなどで止める部分が多くなる。集塵蓋４などの外観部品が透明部品の場合、化粧板（不透明部品）３４という限られた位置でしか止めることができないので、止める部分が多くなると小型化できない。また、化粧板３４、集塵蓋４、バッキングプレート３５の三重構成であるため、分厚くなる。
【００５０】
そこで、本実施形態では、図２３（ｃ），（ｄ）に示すように化粧板３４からネジボス３４ｈを設け、バッキングプレート３５との間に集塵蓋４を挟み込んでバッキングプレート３５とネジ３５ｃで止めるようにする。三重構成の部分が共締めとなる。ネジ止め部は図２３（ｄ）に示すように一方側を二重構成とすることもできる。図２４はその実施例を示す側断面図である。
【００５１】
以上のように構成することで、共締めにより止める箇所が少なくて済むと共に、二重構成部を形成することもできるので、空間に余裕ができ、小型化や軽量化に繋がる。
【００５２】
一方、本実施形態では、隙間用吸込具の簡易収納用の固定部品（本実施形態では、図３，図２５に示すホース７に隙間用吸込具４０を取り付けるホースリテイナー４１）の後述するリブがパイプ嵌合用リブ４０ａの隙間に嵌合することで、隙間用吸込具４０の位置決めをするようにしている。
【００５３】
従来から、電気掃除機の隙間用吸込具の形状は円筒形を基本としており、この円周上を挟み込むことで隙間用吸込具を固定する構成は良く用いられていたが、この構成の場合、部品の成形時のバラツキにより、固定力が安定せず、隙間用吸込具が落ちたり、着脱がかたくなる等の問題が生じていた。
【００５４】
そこで、本実施形態では、図２６（ａ）に示すようにホース７の円周上を挟み込み、リブ４１ａで蛇腹状のホース７に固定されるホースリテイナー４１で、同じく隙間用吸込具４０の略円周を挟み込み着脱自在に取り付ける構成において、図２６（ａ），（ｂ）に示すように隙間用吸込具４０のパイプ嵌合用リブ４０ａの間にホースリテイナー４１に設けられたリブ４１ｂが嵌合するように構成したものである。このホースリテイナー４１を各方向から見た図を図２７に示す。なお、上記隙間用吸込具４０は内径の異なるホースや延長管に接続することができるように小径部４０ｂと大径部４０ｃを有しており、大径部４０ｃは肉厚により成形時にヒケが生じるのを防ぐため、リング状のパイプ嵌合用リブ４０ａが多数形成されている。
【００５５】
以上のように、隙間用吸込具４０のパイプ嵌合用リブ４０ａの間にホースリテイナー４１に設けられたリブ４１ｂを嵌合して、隙間用吸込具４０の上下方向の位置決めの役割を果たすことで安定した保持力を有し、掃除中に隙間用吸込具４０が落ちたり、着脱がかたいなどのシビアな寸法管理をしなくても、使い勝手が良く、また部品の成形時のバラツキに対応できるホースリテイナー４１を提供できる。
【００５６】
一方、本実施形態では、集塵蓋４を開いたときのクリック感を得るためのクリック構成において、後述の撓み用リブを有し、その撓み用リブが上ケース３に設置されている。
【００５７】
従来は、撓み用リブが集塵蓋に形成されていたが、集塵蓋には空間的に制限があり、回動軸専用のリブがクリック撓み用として機能している場合があるが、回動軸には強度を持たせる必要があり、クリックの度に撓むことによって、耐久性能が落ちる課題がある。
【００５８】
そこで、本実施形態では、図２８，図２９に示すように、集塵蓋４のバッキングプレート３５には撓まない剛性を有するクリック部３５ｄを形成し、上ケース３には長くて柔軟なクリック撓み用リブ３ｄを形成するようにしたものである。集塵蓋４が開く過程では、図３０，図３１に示すように、集塵蓋４のバッキングプレート３５側のクリック部３５ｄが上ケース３側のクリック撓み用リブ３ｄを押し広げて行く。そして、図３２，図３３に示すように集塵蓋４が完全に開いた状態では、集塵蓋４のバッキングプレート３５のクリック部３５ｄが上ケース３側のクリック撓み用リブ３ｄに乗り上げてクリック完了となる。
【００５９】
以上のように構成することで、上ケース３側には長くて柔軟なクリック撓み用リブ３ｄを形成することができるので、集塵蓋４側に形成する回動軸の強度は保ったまま、良好で上質なクリック機能（感）を実現することができる。
【００６０】
また、本実施形態では、集塵蓋４の回動によって円弧を描く集塵蓋４の後端部に対して、上ケース３及びそのケースカバー２５がガイドと隙間の目隠しを兼ねる機構を有する構成としたものである。
【００６１】
従来より、集塵蓋の回動によって円弧を描く集塵蓋の後端部においては、他部品との干渉を避けるため、大きなクリアランスを取る必要があった。この場合、隙間が外観を損ねる課題が生じる。また、集塵蓋の成形時の変形により回動時に干渉する場合がある。このため、従来は集塵蓋の変形する後端部の下側に他部品から当てを設けておき、変形の規制としていた。今日、外観部品に透明部品を使用することが多いため、この変形規制の当ても外観を損ねる場合がある。
【００６２】
そこで、本実施形態では、集塵蓋４の後端部のオフセット形状に上ケース３とそのケースカバー２５を形成するようにしたものである。このとき、集塵蓋４の後端部において、上ケース３及びそのケースカバー２５は集塵蓋４の後端部とオーバーラップし（図２参照）、図３４に示すように上から見たときに集塵蓋４の後端部４ｂと上ケース３及びそのケースカバー２５との間に形成される隙間Ｓの下に、上ケース３及びそのケースカバー２５が潜り込みようにして存在するので、隙間Ｓが目立たなくなる。
【００６３】
すなわち、図３５に示すように、上ケース３及びそのケースカバー２５側は、集塵蓋４の後端部４ｂの破線で示す回動軌跡に沿った円弧状に傾斜した形状に形成され、この傾斜した形状に合わせて集塵蓋４（及びそのバッキングプレート３５）の後端部４ｂが傾斜した形状に形成されている。言い換えれば、集塵蓋４の後端部４ｂが上ケース３及びそのケースカバー２５側の傾斜面を覆ったように構成されている。なお、集塵蓋４（及びそのバッキングプレート３５）の後端部４ｂは上記のような傾斜面でなくても一定の効果は得られるが、上面側の隙間が大きくなるので、上述したように互いに沿った形状に傾斜した構成とすることが好ましい。
【００６４】
以上のように構成することにより、上ケース３及びケースカバー２５が隙間Ｓの目隠しの役割を果たし、且つ変形規制と回動時のガイドとなる。
【００６５】
また、本実施形態では、集塵ケース１７を有すると共に、後述の排気漏れ防止用リブを集塵ケース１７に形成し、かつ、その排気漏れ防止用リブが配線処理も兼ねる構成としている。
【００６６】
上述したように下ケース２上に集塵ケース１７が取り付けれ、その前側を前カバー９で覆うようにした構成では、前側からの廃棄漏れの対策が必要となり、これまでは、図３６に示すように、集塵ケース１７に排気漏れ防止用リブ１７ｄを形成して、下ケース２に配線処理用溝２ｄを形成していた。しかし、これでは、集塵ケース１７に形成する排気漏れ防止用リブ１７ｄと配線処理用溝２ｄが別々の部品に形成されていることにより、構造が複雑になる。
【００６７】
そこで、本実施形態では、図３７，図３８に示すように、集塵ケース１７に矢印で示す排気漏れを防止する排気漏れ防止用リブ１７ｄを形成すると共に、排気漏れ防止用リブ１７ｄに配線４７を通す溝１７ｅを形成して、配線処理用溝を兼ねるように構成したものである。
【００６８】
このように構成することにより、一つのリブで排気漏れ防止と配線処理の両方の効果を得ることができ、構造が簡略化する。
【００６９】
また、本実施形態では、上ケース３と下ケース２の合わせ部の開きを規制するためのアンダーカット構成を有するものである。
【００７０】
掃除機本体１の小型化やスリム化のため、前カバー９を前面側からネジ止めする構成の場合、ネジ止めの特性上、上ケース３と下ケース２の合わせ部の上下への開きを完全に規制することができない。
【００７１】
そこで、本実施形態では、図３９に示すように、前カバー９と上ケース３にアンダーカット構成を設けることで、前カバー９に形成された段部９ｃに上ケース３に形成された爪部３ｃを引っかけるようにして、合わせ部の上下への開きを規制するようにしている。なお、下ケース２上にネジ止め固定される集塵ケース１７と上ケース３にアンダーカット構成を設けることでも同様の効果が得られる。これにより、前カバー９の前面からネジ孔３ｅでネジ止めする際にも、外観の合わせが容易にできるようになる。
【図面の簡単な説明】
【００７２】
【図１】本願発明の一実施形態の電気掃除機における掃除機本体の外観を示す斜視図。
【図２】その中央縦断面図。
【図３】上記実施形態の電気掃除機の全体構成を示す側面図。
【図４】集塵ケースとエアインレットカバーを個々に示す斜視図。
【図５】集塵ケースとエアインレットカバーを連結された状態を示す斜視図。
【図６】上記図２の要部拡大断面図。
【図７】ＬＥＤホルダの斜視図と中央縦断面図。
【図８】前カバーでのリード線処理状態を示す図。
【図９】上ケースを外した状態を示す側面図。
【図１０】上ケースを外した状態を示す正面図。
【図１１】上ケースを外した状態を示す平面図。
【図１２】集塵蓋が開いた状態を示す正面図。
【図１３】集塵蓋を省略した平面図。
【図１４】延長管のパイプリテイナー部分を示す側面図。
【図１５】パイプリテイナーの取付構造を示すための各部の斜視図。
【図１６】同じく、各部の平面図と側面図と断面図。
【図１７】ハンドルの通常時の抜け止め用リブとストッパーの関係を示すための側断面図。
【図１８】ハンドルが起きた状態の抜け止め用リブとストッパーの関係を示すための側断面図。
【図１９】ハンドルの外側ストッパーを示すための斜視図。
【図２０】集塵蓋とその化粧板の分解斜視図。
【図２１】集塵蓋とその化粧板の端部構成例を示す端面図。
【図２２】集塵蓋と化粧板とバッキングプレートの構成例を示す要部断面図。
【図２３】同じく、集塵蓋と化粧板とバッキングプレートの構成例を示す要部断面図。
【図２４】同じく、集塵蓋と化粧板とバッキングプレートの構成例を示す本体側断面図。
【図２５】ホースにホースリテイナーにより隙間用吸込具が取り付けられた状態を示す側面図。
【図２６】同じく、その要部断面図。
【図２７】ホースリテイナーを各方向から見た図。
【図２８】集塵蓋のクリック構成を示すための集塵蓋と上ケースの斜視図。
【図２９】同じく、集塵蓋が閉じた状態へのクリック構成を示すための側断面図。
【図３０】同じく、集塵蓋が開くときにクリック構成を示すための側断面図。
【図３１】同じく、集塵蓋が開くときにクリック構成を示すための正面図。
【図３２】同じく、集塵蓋が完全に開いたときのクリック構成を示すための側断面図。
【図３３】同じく、集塵蓋が完全に開いたときのクリック構成を示すための正面図。
【図３４】集塵蓋が閉じた状態の上面図。
【図３５】集塵蓋の回動時の要部を示す断面図。
【図３６】従来の廃棄漏れ防止と配線処理構成を示す各部の斜視図。
【図３７】本実施形態の廃棄漏れ防止と配線処理構成を示す平面図。
【図３８】同じく、集塵ケースの斜視図。
【図３９】上ケースと前カバーの合わせ部の構成を示す図。
【符号の説明】
【００７３】
１  掃除機本体
２  下ケース
３  上ケース
４  集塵蓋
５  延長管
７  ホース
８  ホース差込口
９  前カバー
１２  ハンドル
１３  ダストボックス
１４  集塵室
１５  電動送風機
１６  電動送風機室
１７  集塵ケース
１８  エアインレットカバー
１９  フィルタフィクスチャ
２０  ＬＥＤ基板取付部
２１  ＬＥＤ
２２  ＬＥＤ基板
２３  ＬＥＤフォルダ
２３ａ  漏斗状孔
２４  表示部（薄肉部）
２５  ケースカバー
３０  パイプリテイナー
３４  化粧板
３５  バッキングプレート
４０  隙間用吸込具
４１  ホースリテイナー
【図１】
2007054380.tif 000003
【図２】
2007054380.tif 000004
【図３】
2007054380.tif 000005
【図４】
2007054380.tif 000006
【図５】
2007054380.tif 000007
【図６】
2007054380.tif 000008
【図７】
2007054380.tif 000009
【図８】
2007054380.tif 000010
【図９】
2007054380.tif 000011
【図１０】
2007054380.tif 000012
【図１１】
2007054380.tif 000013
【図１２】
2007054380.tif 000014
【図１３】
2007054380.tif 000015
【図１４】
2007054380.tif 000016
【図１５】
2007054380.tif 000017
【図１６】
2007054380.tif 000018
【図１７】
2007054380.tif 000019
【図１８】
2007054380.tif 000020
【図１９】
2007054380.tif 000021
【図２０】
2007054380.tif 000022
【図２１】
2007054380.tif 000023
【図２２】
2007054380.tif 000024
【図２３】
2007054380.tif 000025
【図２４】
2007054380.tif 000026
【図２５】
2007054380.tif 000027
【図２６】
2007054380.tif 000028
【図２７】
2007054380.tif 000029
【図２８】
2007054380.tif 000030
【図２９】
2007054380.tif 000031
【図３０】
2007054380.tif 000032
【図３１】
2007054380.tif 000033
【図３２】
2007054380.tif 000034
【図３３】
2007054380.tif 000035
【図３４】
2007054380.tif 000036
【図３５】
2007054380.tif 000037
【図３６】
2007054380.tif 000038
【図３７】
2007054380.tif 000039
【図３８】
2007054380.tif 000040
【図３９】
2007054380.tif 000041